(57)【要約】【課題】信頼性があると共に取り扱いやすく、また、製造公差の累積効果を考慮に入れ、組み立ての最後で動作を容易に調節することができるクロノグラフ時計を提供する。【解決手段】　調節プレート（３０）に２つのアーム（２２、２４）の接合部分で関節式に連結されたＬ字形カップリングばね（２０）の大アーム（２２）に形成された二股部（１６）によって、カップリングホィール（１７）は中間第２ホィール（１９）と摩擦接触する位置へ、または逆に、それから離れる方向へ移動させられ、カップリングばね（２０）の小アーム（２４）の端部が制御レバー（１０）の端部によって応力を加えられる。ガイド手段（３２ａ、３２ｂ）及びカムねじ（３８）によって位置決めを行う手段によって、カップリングばね（２０）の小アーム（２４）と制御レバー（１０）の端部との間の距離を変更することができ、したがって、それにより、製造公差を補償することができる。【選択図】　図４
2004125797.tif 000002
【特許請求の範囲】
【請求項１】
　カップリングホィール（１７）の軸方向移動を制御する二股部（１６）を使用して、カップリングホィール（１７）を中間第２ホィール（１９）と摩擦接触する位置へ移動させるか、または逆に、戻しばね（２１）の力に逆らってそれから離れる方向へ移動させるようにし、往復移動する制御レバー（１０）によって前記二股部（１６）を作動させるクロノグラフカップリング機構であって、前記制御レバー（１０）から独立して、機構プレート（８）または調節プレート（３０）に２つのアーム（２２、２４）の接合部分で回動自在に連結されたほぼＬ字形のカップリングばね（２０）を備えており、該カップリングばね（２０）の大アーム（２２）に前記二股部（１６）が設けられており、小アーム（２４）を前記制御レバー（１０）の１つの端部で作動させることができることを特徴とするカップリング機構。
【請求項２】
　前記カップリングばね（２０）は、ガイド手段（３２）と、前記カップリングばね（２０）の前記小アーム（２４）を前記制御レバー（１０）の端部に対して位置決めする手段（３４）とを有する調節プレート（３０）に回動自在に連結されていることを特徴とする請求項１に記載のカップリング機構。
【請求項３】
　前記ガイド手段（３２）は、前記機構プレート（８）及びクロノグラフブリッジ（２８）に形成された長円形開口（３６ａ、３６ｂ）によって前記調節プレート（３０）の振動を制限することができる２つのスタッド（３２ａ、３２ｂ）で形成されており、該スタッド（３２ａ、３２ｂ）が、ヒンジプレート（３１）、スペーサ（３３）及びカバー（３５）に打ち込まれてそれらを貫通することにより、それらが協働して一端部に前記カップリングばね（２０）のヒンジを形成するようにしたことを特徴とする請求項２に記載のカップリング機構。
【請求項４】
　前記位置決め手段（３４）は、前記スペーサ（３３）の延長部分（３７）に、前記ガイドスタッド（３２ａ、３２ｂ）の整合線にほぼ垂直な長軸を有する長円形開口（３７ａ）を設けることによって形成されており、該長円形開口（３７ａ）は、カム（３８）を受け取るようにしたことを特徴とする請求項２及び３に記載のカップリング機構。
【請求項５】
　前記位置決め手段（３４）を有する前記延長部分（３７）は、前記ガイドスタッド（３２ａ、３２ｂ）の整合線にほぼ垂直であることを特徴とする請求項４に記載のカップリング機構。
【請求項６】
　前記制御レバー（１０）は、１点に集まる３つのブランチ（１１、１３、１５）を有しており、該第１ブランチ（１１）は、その端部が機構プレート（８）に沿って回動し、前記第２ブランチ（１３）は、その端部（１４ａ）が戻しばね（９）によって、一連の窪み（４）及び平坦部（６）を有する環状カム（１）の内側歯部（２）に当接した状態に保持されており、前記第３ブランチ（１５）の端部が、前記カップリングばね（２０）の前記小アーム（２４）を作動させることができることを特徴とする請求項１に記載のカップリング機構。
【請求項７】
　前記制御レバー（１０）の前記第２ブランチ（１３）は、その端部がＺ字形に曲げられて、戻しばね（９）用のストップを形成していることを特徴とする請求項６に記載のカップリング機構。
【発明の詳細な説明】
【技術分野】
【０００１】
　本発明は、一方では停止位置またはゼロクロノグラフ位置から作動位置への移行時の妨害を防止し、他方では、制御部を形成する可動部材の不可避の製造公差を再吸収するように、端部で加える力を正確に調節できるように構成された制御レバーを使用したクロノグラフカップリング機構に関する。
【背景技術】
【０００２】
　本発明の理解を助けるために、まず最初に、本出願人の知る限りにおいて最新の技術状態を、図１及び図２を基準しながら簡単に説明する。図１及び図２は、クロノグラフが作動中である時の位置にあるカップリング機構の制御部をそれぞれ平面図及び断面図で概略的に示している。図１に示されているように、カップリング装置は、押しボタン（図示せず）によって操作される操作レバーの作用を受ける駆動歯部３を外側に有する円形カム１によって作動する。このカム１はジャンパばね５によって所定位置に保持されている。カム１は内側歯である制御歯部２を有し、歯部の連続した２つの窪み４を分離する歯は切頭形であって平坦部６を有する。外側歯部３は、内側歯部２の２倍の歯数を有し、そのため、押しボタンの操作で１段階駆動させると、窪み４及び平坦部６が連続して所定の基準位置と向き合って進む。カップリング機構１０の制御部は、基本的に１点に集まる３つのアームを有するレバーによって形成されている。第１アーム１１は端部で１２を中心にして、プレート７または機構プレート８に沿って回転する。第２アーム１３の端部はＺ字形に曲げられた部分１４を備え、その部分に当接している戻しばね９によって、部分１４の先端の歯１４ａが内側歯部２の平坦部６に当接した状態に保持される。第３のアームである可撓性アーム１５の端部には、傾斜してプレート８の縁部８ａに当接した平面１８ａを有するＶ字形屈曲部１８に続いて二股部１６が設けられている。図２に示された結合位置にある時、環状板ばね２１の作用を介して、カップリングホィール１７が中間の第２ホィール１９によって摩擦駆動させられる。クロノグラフを停止させたい時、押しボタンを押し付けると、カム１が半段階だけ回転し、歯１４ａが窪み４に落ち込み、その結果、傾斜平面１８ａがプレート８の縁部８ａに接触しながら摺動して、Ｖ字形屈曲部８がプレート８に載る位置に達し、そのため、二股部１６が圧縮ばね２１によってカップリングホィール１７を中間第２ホィール１９から切り離す。したがって、上記のカップリング機構を適正に作動させるためには、カム１及び制御装置１０に関する公差や、戻しばね９、制御装置１０のアーム１５及び環状ばね２１に関する弾性モジュールなどの機械的及び物理的パラメータのすべてを正確に調節できる必要がある。
【０００３】
　この装置では、停止またはゼロクロノグラフ位置へ戻る間に、しばしば制御装置１０の妨害が見られ、これは弾性モジュールを設けることによって除去または軽減できるだけであり、そのため、加える圧力を大きくしなければならない。ほとんどの時間その状態であるが、停止またはゼロクロノグラフ位置にある間、可撓性アーム１５は永続的に応力を受けており、そのため、それの弾性特性に悪影響を与える変形が少なくとも部分的に発生する可能性があることは明白である。
【発明の開示】
【発明が解決しようとする課題】
【０００４】
　したがって、本発明の目的は、信頼性があると共に取り扱いやすく、また、製造公差の累積効果を考慮に入れるために、組み立ての最後で動作を容易に調節することができるクロノグラフ時計を提供することによって、上記従来技術の２つの主な欠点を解決することである。
【課題を解決するための手段】
【０００５】
　したがって、本発明は、カップリングホィールの軸方向移動を制御する二股部を使用して、カップリングホィールを中間第２ホィールと摩擦接触する位置へ移動させるか、または逆に、戻しばねの力に逆らってそれから離れる方向へ移動させるようにしたクロノグラフカップリング機構に関する。この二股部は、往復運動を与えられる制御レバーによって作動するが、本発明の第１特徴によれば、従来技術に関連して前述したものとは異なって、この二股部が制御レバーから独立している。この二股部は実際は、機構プレートまたは調節プレートに２つのアームの接合部分で回動自在に連結されている、以下の説明で「カップリングばね」と呼ぶＬ字形に曲げられた部材の大アームに形成されており、このカップリングばねの小アームは基部に制御レバーによって応力を加えられている。
【０００６】
　本発明の別の特徴によれば、カップリングばねは、２つの貫通スタッドによって組み付けられたヒンジプレート、スペーサ及びカバーによって形成された調節プレートのヒンジ部に回動自在に連結されており、貫通スタッドの端部は、機構プレート及びクロノグラフブリッジに形成された長円形の開口によって案内されて並進する。スペーサを形成するプレートに延長部分が設けられ、その延長部分に、長軸がスタッドの整合線に垂直である長円形開口が形成されており、すなわち、カムによって、カップリングばねの小アームの端部と制御レバーの端部との間の距離を変更することができ、それにより、最終調節によって、カップリング装置のさまざまな部材の製造公差を補償することができる。
【０００７】
　好適な実施態様によれば、制御レバーは、１点に集まる３つのブランチを有しており、第１ブランチは、その端部が機構プレートに沿って回転し、第２ブランチは、その端部が戻しばねによって、一連の窪み及び平坦部を有する環状カムの内側歯部に当接した状態に保持されており、第３ブランチの端部が、カップリングばねの小アームを作動させる。
【発明を実施するための最良の形態】
【０００８】
　本発明は、添付の図面を基準しながら非制限的な例として与えられている以下の説明を読めば、さらに十分に理解されるであろう。
【０００９】
　図３は、カップリング機構の構成部材だけを示す平面図であり、図４は、これをさらに簡略化して拡大して示し、図５は断面図で示している。図３、図４及び図５では、カップリング装置が切り離し位置で示されている。前述したように、カップリング装置の位置の変化は、押しボタン（図示せず）によって作動して外側歯部３に作用するフィンガ２６によって回転駆動される一方、ジャンパばね５によって所定位置に保持されている円形カム１によって制御される。カム１はまた、一連の窪み４及び平坦部６で形成された内側歯部２も有する。内側歯部２と外側歯部３間の段階比を１：２（たとえば、内側の歯数を４０、外側の歯数を８０）にすることによって、カム１の段階的な前進移動が、窪み４と平坦部６を交互に基準位置と向き合わせる。
【００１０】
　そのようなカップリング装置は、従来通りに、駆動ホィール２９及び小ホイール２５と噛み合った中間第２ホィール１９と、クロノグラフホィール２７と噛み合ったカップリングホィール１７とを有し、カップリングホィール１７の上部にカラー１７ａが設けられ、環状ストリップ２１を有する戻しばねがカラー１７ａを押し付けることによって、外部応力がない時、２つのホィール組１７、１９を（図７に示されたような）結合位置に保持することができる。
　図示の例では、カラー１７ａに圧力を加えることによってカップリング装置を切り離し位置へ移行させるようにカップリング装置に作用する機構が、３つの主要部材、すなわち、制御レバー１０、Ｌ字形カップリングばね２０及び調節プレート３０を有する。
【００１１】
　制御レバー１０は、その形状をわかりやすく示すために図４では網掛けして示されているが、１点に集まる３つのブランチ１１、１３及び１５を有している。ブランチ１１は、プレート７に沿って１２を中心にして回転する。ブランチ１３は、一端部にＺ字形屈曲部１４を有し、それの先端に設けられた歯１４ａが、屈曲部１４の垂直部分に当接した戻しばね９によって、カム１の内側歯部２に押し付けられている。このＺ字形屈曲部１４は、一例として挙げたクロノグラフムーブメントのホィール組及び他の部材の設置に必要なだけであって、簡単なリブなどの他の形式のストップ機構と等しく交換することもできる。ブランチ１５の端部は、カップリング装置のホィール組１７、１９の回転軸の半径方向に垂直であるが、二股部を備えていない。制御レバー１０の各ブランチの個々の形状は、クロノグラフムーブメントを形成する可動部材用に選択されるか、必要とされる場所だけによって決まり、また、当該技術分野の専門家であれば考えられる他のいずれの形状も、本発明の範囲に入ることがわかるであろう。
【００１２】
　カップリングばね２０は、二股部を形成している大アーム２２と、小アーム２４とを有し、小アームの端部には、制御レバー１０のブランチ１５の端部によって応力が加えられている。
【００１３】
　図示の例では、カップリングばね２０は、２つのアーム２２、２４の接合線の各側に、２つの小さいピボット２３ａ、２３ｂ（図９に示されている）を有し、これらは、さらに詳細に後述する構造を有する調節プレート３０のヒンジ部に取り付けられている。図示されていないもっと単純な実施形態では、このカップリングばね２０を直接、機構プレート８か、それに固定された部品に取り付けることができる。
【００１４】
　次に図８、図９及び図１０も基準すると、調節プレート３０が、２つの部材３１、３５を、スペーサ３３を形成する第３部材の各側に積み重ねて形成されていることがわかるであろう。部材３１は、その一端部の縁部付近に、スペーサ３３の縁部を越えて延出する２つの小延長部分３１ａ、３１ｂを有し、これらの延長部分３１ａ、３１ｂの端部が直角に曲げられている。カバーを形成する部材３５の延長端部の一方には、曲げられた延長部分３１ａ、３１ｂ間の位置に２つのラグ３５ａ、３５ｂが設けられており、これらのラグは、延長部分３１ａ、３１ｂをわずかに越える位置まで延出している。このラグと延長部分とでピボット２３ａ、２３ｂを取り付けるヒンジ部を形成している。これらの３つの部材３１、３３、３５は、それらに設けられた穴に打ち込まれたスタッド３２ａ、３２ｂによって組み付けられており、スタッド３２ａ、３２ｂの頭部がスタックの両側から突出し、ガイド手段３２を形成している。スタッド３２ａ、３２ｂは、機構プレート８及びクロノグラフブリッジ２８に形成された長円形の開口３６ａ、３６ｂによって案内され、これによって、調節プレート３０の振動を抑えることができる。
【００１５】
　スペーサ３３は、ヒンジ部と反対の側に、長円形開口３７ａを有する延長部分３７を有しており、その長軸が、スタッド３２ａ、３２ｂの整合線に垂直であることもわかるであろう。図４及び図５に示されているように、長円形開口３７ａは、カム３８を受け入れるためのものであって、これにより、調節プレート３０を移動させることができ、したがって、制御レバー１０のブランチ１５の端部がカップリングばね２０の小アーム２４の端部に加える圧力を調節することができる。以上に記載した実施形態では、延長部分３７もスタッド３２ａ、３２ｂの整合線に垂直な向きになっているが、長円形の開口の長軸が、ガイドスタッドの整合線に垂直に維持されるのであれば、その延長部分を他のいずれの向きにすることもできることは明らかである。
【００１６】
　この構造には、主に２つの利点がある。たとえば、厚さ方向に作用を加えることによって、剛直で変形しない制御レバー１０と共に、過度の摩擦を防止するように一定の可撓性を有するカップリングばね２０を設けることができる。カムねじ３８に作用を加えることによって、調節プレート３０が、特にカップリングばね２０、環状板ばね２１及びカム１に関連した不可避の製造公差を補償する。周知のように、公差の厳密さをわずかに低くすることによって、本発明よって高品質を保持しながら、わずかに低コストで同一製品を製造することができる。
【００１７】
　図４に戻ると、切り離し位置では、歯１４ａがばね９によって平坦部６上に保持されているが、図６及び図７に示された結合位置では、歯１４ａが窪み４に落ち込んでいることがわかるであろう。したがって、カム１は、制御レバー１０に往復運動を与えるが、本発明の範囲から逸脱することなく、当該技術分野の専門家には周知の他の方法によってこの運動を得ることができることは明らかである。
【図面の簡単な説明】
【００１８】
【図１】従来技術に従ったカップリング装置の平面図である。
【図２】図１のＩＩ線に沿った断面図である。
【図３】クロノグラフ時計の、本発明に従ったカップリング装置に限定した機構の平面図である。
【図４】カップリング装置を形成する部材の、停止またはゼロクロノグラフ位置にある時の拡大図である。
【図５】図４のＶ−Ｖ線に沿った横断面の破断図である。
【図６】図４と同様であるが、クロノグラフが作動している位置にカップリング装置がある時の図である。
【図７】図６のＶＩＩ−ＶＩＩ線に沿った横断面の破断図である。
【図８】カップリング機構の調節プレートの斜視図である。
【図９】図８に示された調節プレートの平面図である。
【図１０】図９の機構のＸ−Ｘ線に沿った断面図である。
【符号の説明】
【００１９】
　１０　制御レバー
　１６　二股部
　１７　カップリングホィール
　１９　中間第２ホィール
　２０　Ｌ字形カップリングばね
　２２　大アーム
　２４　小アーム
　３０　調節プレート
　３２ａ、３２ｂ　スタッド
　３８　カムねじ
【図１】
2004125797.tif 000003
【図２】
2004125797.tif 000004
【図３】
2004125797.tif 000005
【図４】
2004125797.tif 000006
【図５】
2004125797.tif 000007
【図６】
2004125797.tif 000008
【図７】
2004125797.tif 000009
【図８】
2004125797.tif 000010
【図９】
2004125797.tif 000011
【図１０】
2004125797.tif 000012